(57)【特許請求の範囲】
【請求項１】
通信網を介して少なくとも１つの情報処理装置に接続され、
前記情報処理装置の各々における少なくとも１つのファイルの内の、業務作業に関連するファイルを一体的に管理するファイル管理装置であって、
前記業務作業のカテゴリ種別に対応させて、カテゴリ種別に含まれるファイル毎に、前記ファイルにアクセスするためのパス、及び、所望のファイルを自動又は手動で開くのかの開始フラグを第１の記憶部に登録する登録処理手段と、
前記ファイル装置でユーザからカテゴリ種別の内の１つが指定されると、前記カテゴリ種別に含まれるファイルを抽出する抽出処理手段と、
該抽出したファイルのパスに基づいて、該情報処理装置に対して、対応するファイルの各々の送信命令を行う送信命令処理手段と、
前記送信命令により送信されたファイルの各々を、前記所望のファイルを自動又は手動で開くのかの開始フラグに基づいて、自動又は手動で表示する表示手段とを有することを特徴とするファイル管理装置。
【請求項２】
請求項１に記載のファイル管理装置において、
前記第１の記憶部には、前記業務作業のカテゴリ種別に対応させて、カテゴリ種別に含まれるファイル毎にファイルの種類が登録されており、
前記ファイルの種類に対応するアプリケーションにより前記送信命令を受けたファイルを表示させることを特徴とするファイル管理装置。
【請求項３】
請求項１に記載のファイル管理装置において、
前記カテゴリ種別の１つを指定する場合に、
全てを開くを指定した場合には、前記送信命令により送信されたファイルの各々を全て表示することを特徴とするファイル管理装置。
【請求項４】
請求項１に記載のファイル管理装置において、
前記カテゴリ種別ごとに対応付けられた閉じるのボタンを指定した場合には、表示されていたファイルのうち、指定されたカテゴリ種別に対応するファイルを全て閉じることを特徴とするファイル管理装置。
【請求項５】
請求項１に記載のファイル管理装置において、
前記送信命令により送信されたファイルは、パスが設定されたショートカットであることを特徴とするファイル管理装置。
【請求項６】
請求項５に記載のファイル管理装置において、
前記第１の記憶部には、前記業務作業のカテゴリ種別に対応させて、カテゴリ種別に含まれるファイルに抽出条件が登録されており、
前記ショートカット先のアプリケーションでは、前記抽出条件に基づいてデータを表示させることを特徴とするファイル管理装置。
【請求項７】
コンピュータに、請求項１乃至６のいずれかに記載のファイル管理装置を構成する各手段を、実現させるためのファイル管理プログラム。
【発明の詳細な説明】
【０００１】
【発明の属する技術分野】
本発明は、情報処理装置による業務作業の効率化の技術に関し、特に、ネットワーク上に散在した各業務作業に必要な個々のファイルを一体的に管理し、業務作業の効率化を支援することができるファイル管理装置およびファイル管理プログラムに関する。
【０００２】
【従来の技術】
従来、事務文書（企画書、報告書等）や開発中のプログラムソースなどのファイル作成にあたって、このファイルを作成するのに必要または参照される複数の資料ファイルの各々の情報を、予め自らの情報処理装置のテーブルに登録し、このテーブルを参照してファイル管理を行う方法が知られている。ある業務作業、例えば企画書作成を進めるにあたって、その文書ファイルを開くことはもちろん、同時に、それに関連する販売予想データファイル、同業他社のＷｅｂページなどの関連ファイル（あるいは資料ファイル）を参照する場合も多い。また、社内で運用されている販売実績検索を行うアプリケーションプログラムを利用する場合もある。これらの業務作業におけるファイルおよびその関連ファイル（以下、これらをまとめて所望のファイルと称す）は、自分のパソコン（以下、ＰＣという）内、あるいはＬＡＮ（Local Area Network）やＷＡＮ（Wide Area Network）やインターネット網などの通信網を介して接続された他のＰＣ内に散在して記憶されている状況もある。
【０００３】
特開平７−１２９４４７号公報（以下、文献１）には、ある業務作業のファイル作成にあたって、関連する文書ファイルを一体的に管理する文書管理システムが示されている。
この文献１では、ある本体文書ファイルの作成にあたって、関連する文書ファイル（補助データ）自体を、サーバ上の共通のエリア（サーバのディスク）または自らのＰＣ（ローカルディスク）に、ディレクトリ形式などのデータベースとして格納し管理する。
【０００４】
【発明が解決しようとする課題】
しかしながら、上述のようなファイル管理技術、特に文献１では、関連する文書ファイル（補助データ）を含む所望のファイルの各々は、自らの装置（文書情報管理システム）のディスクなどの、予め決められた所定のディスクに登録されており、その登録前のオリジナルデータが更新されるとその情報は補助データとしては反映されず、反映させるためには内容の整合をとる作業が必要であり、その作業は煩雑である。またこのとき、業務作業を行うに当たって、関連する文書ファイルとして参照された各ファイルは、その都度、対応するアプリケーションを起動させて、個々に開いていくという処理、例えば、企画書本文のワープロアプリケーションと、関連する文書ファイルとなる販売予想データの表文書アプリケーション、Ｗｅｂブラウザおよび販売実績検索ツールとをそれぞれ起動して開くことは煩わしい。関連して、それぞれのファイルを終了し閉じるときも同様である。
【０００５】
本発明は上述のような課題に鑑みてなされ、その目的は、ネットワーク上に散在した各業務作業に必要な個々のファイルを一体的に管理し、業務作業の効率化を支援することができるファイル管理装置およびファイル管理プログラムを提供することにある。
【０００６】
【課題を解決するための手段】
（１）上記目的を達成するために、本発明に係るファイル管理装置は、通信網を介して少なくとも１つの情報処理装置に接続され、前記情報処理装置の各々における少なくとも１つのファイルの内の、業務作業に関連するファイルを一体的に管理するファイル管理装置であって、前記業務作業のカテゴリ種別に対応させて、カテゴリ種別に含まれるファイル毎に、前記ファイルにアクセスするためのパス、及び、所望のファイルを自動又は手動で開くのかの開始フラグを第１の記憶部に登録する登録処理手段と、前記ファイル装置でユーザからカテゴリ種別の内の１つが指定されると、前記カテゴリ種別に含まれるファイルを抽出する抽出処理手段と、該抽出したファイルのパスに基づいて、該情報処理装置に対して、対応するファイルの各々の送信命令を行う送信命令処理手段と、前記送信命令により送信されたファイルの各々を、前記所望のファイルを自動又は手動で開くのかの開始フラグに基づいて、自動又は手動で表示する表示手段とを有することを特徴とする。
【０００７】
（２）また、本発明に係るファイル管理装置は、上記（１）において、前記第１の記憶部には、前記業務作業のカテゴリ種別に対応させて、カテゴリ種別に含まれるファイル毎にファイルの種類が登録されており、前記ファイルの種類に対応するアプリケーションにより前記送信命令を受けたファイルを表示させることを特徴とする。
【０００８】
（３）また、本発明に係るファイル管理装置は、上記（１）において、前記カテゴリ種別の１つを指定する場合に、全てを開くを指定した場合には、前記送信命令により送信されたファイルの各々を全て表示することを特徴とする。
【０００９】
（４）また、本発明に係るファイル管理装置は、上記（３）において、前記カテゴリ種別ごとに対応付けられた閉じるのボタンを指定した場合には、表示されていたファイルのうち、指定されたカテゴリ種別に対応するファイルを全て閉じることを特徴とする。
（５）また、本発明に係るファイル管理装置は、上記（１）において、前記送信命令により送信されたファイルは、パスが設定されたショートカットであることを特徴とする。
（６）また、本発明に係る明高  請求項５に記載のファイル管理装置において、
前記第１の記憶部には、前記業務作業のカテゴリ種別に対応させて、カテゴリ種別に含まれるファイルに抽出条件が登録されており、前記ショートカット先のアプリケーションでは、前記抽出条件に基づいてデータを表示させることを特徴とする。
【００１０】
【発明の実施の形態】
以下に本発明の実施の形態を、図１〜図７を用いて詳細に説明する。
図１は、本発明に係るファイル管理装置と、それが用いられるネットワークシステムの一構成例を説明するためのブロック図である。図２は、図１の業務作業テーブル記憶部に記憶された、業務作業カテゴリリストおよび業務作業テーブルの一例を説明するための図である。図３は、図２の業務作業カテゴリリストおよび業務作業テーブルの設定動作を説明するためのフローチャートである。図４は、図１のファイル管理装置の動作を説明するためのフローチャートである。図５は、図４の説明を補足する図である（その１）。図６は、図４の説明を補足する図である（その２）。図７は、図４の説明を補足する図である（その３）。
【００１１】
（ネットワークシステムについて）
初めに、図１を用いて、本発明に係るファイル管理装置と、それが用いられるネットワークシステムの一構成例を説明する。
【００１２】
ネットワークシステム１は、インターネット網１０を介して、ＬＡＮ２０，３０、およびＤＢ（データベース）サーバ４０がそれぞれ接続されている。
【００１３】
ＬＡＮ２０は、インターネット網１０に接続されたルータ２４、それにＬＡＮケーブル２２を介して接続された、サーバ２６、ＰＣ２８、および、本発明に係るファイル管理装置であるファイル管理ＰＣ１００を有して構成されている。
ＬＡＮ３０もほぼ同様に、インターネット網１０に接続されたルータ３４、それにＬＡＮケーブル３２を介して接続された、サーバ３６およびＰＣ３８を有して構成されている。サーバ２６，３６は、各種ＤＢ保存、Ｗｅｂコンテンツ情報保存および開示、ＤＮＳ（Domain Name Server）などの機能を有している。
ＤＢサーバ４０は、インターネット網１０に一般公開されているＷｅｂサイトのＷｅｂコンテンツ情報を記憶している。
【００１４】
（ファイル管理ＰＣの構成について）
ファイル管理ＰＣ１００は、その内部を図示した符号１００Ａに示すように、コンピュータ内部で処理されるデータの転送路であるバス１０２に、通信を可能とする通信インターフェイス１１０、サーバの演算・制御を行うＣＰＵ（Central Processing Unit）１２０、業務作業テーブル記憶部１３０、バッファ１４０および業務作業ファイル処理部１５０のそれぞれが接続されて構成されている。
【００１５】
業務作業テーブル記憶部１３０は、その業務作業テーブル内に、所望の業務作業を表すカテゴリ種別に対応して、そのファイルにアクセスするためのリンクであるパス・アドレスを記憶している。他に、後述する送信命令処理部１５６で所望のファイルを開くか否かを設定した開始フラグ、また、ファイルまたはファイル内の所定のデータ（レコード）を開くための条件を表す、日時などのパラメータを業務作業テーブルのカテゴリ種別と対応して記憶している。
【００１６】
以下、図２を用いて、業務作業テーブル記憶部１３０に記憶される業務作業カテゴリリストおよび業務作業テーブル、並びにその各項目、具体例を説明する。
【００１７】
本発明におけるファイル管理ＰＣ１００のサービスを行うに先だって、ユーザは、後述する登録処理部１５２により、各業務作業カテゴリ名を業務作業カテゴリリストに、また、そのカテゴリにおける所望のファイル情報を業務作業テーブルにそれぞれ登録する。図２にはその登録後情報の一例を示している。
この業務作業カテゴリリスト２１０の「カテゴリリスト名」項目には、「報告書作成」、「特許」および「企画書作成」などの名前が設定されている。さらにこの各リストには、業務作業テーブル２２０とリンクするように、ポインタが設定されている。この図２では「企画書作成」リストに対して、業務作業テーブル２２０がリンクされている。
【００１８】
この業務作業テーブル２２０では、「名前」、「パス・アドレス」、「種類」および「開始フラグ」が設定されている。「名前」項目は、「パス・アドレス」項目で示されるパス・アドレスにより特定されるファイルを表す名前である。「種類」項目は、そのファイルのアプリケーション種類である。「開始フラグ」項目では、個々のファイル（リストに示された、パス・アドレスが示すファイルやショートカットファイルなど）を、自動または手動のいずれかで開くのかが設定されている。
【００１９】
業務作業ファイル処理部１５０は、登録処理部１５２、抽出処理部１５４、送信命令処理部１５６、およびファイル開閉処理部１５８を有して構成されている。
【００２０】
登録処理部１５２は、ユーザの指示により、上述の図２に示すような、業務作業カテゴリリスト２１０および業務作業テーブル２２０を登録する。また、登録だけでなく、各リストおよび各項目に設定された情報の編集・削除等も可能である。
この登録処理動作を、図３のフローチャートを用いて説明する。
【００２１】
表示画面上で、業務作業カテゴリリストの登録・編集・削除処理に対応する登録処理部１５２のボタンが押されると、業務作業カテゴリリストが表示される。ここではステップＳ３０１に示したように、「▲１▼：登録」、「▲２▼：削除」、「▲３▼：編集」および「▲４▼：終了」の各処理を選択できる。
【００２２】
「▲１▼：登録」が選択されると、業務作業カテゴリリストが新規登録可能状態で画面表示され、また、その入力（例えば、図２の「企画書作成」）に対応して、業務作業テーブルが新規登録可能状態で画面表示される（ステップＳ３１１）。「業務作業テーブルの各項目にその所望のファイルの名前、パス・アドレス、種類、開始フラグなどを入力する（ステップＳ３１２）。入力した情報を確定処理する（ステップＳ３１３）ことで、業務作業カテゴリリストおよび業務作業テーブルの入力情報が確定すると共に、リンクが設定される（ステップＳ３１４）。上記ステップＳ３１３で確定処理をキャンセルすると、上記ステップＳ３１１に戻る。
【００２３】
「▲２▼：削除」が選択されると、業務作業カテゴリリストが画面表示され（ステップＳ３２１）、このリストのいずれかを選択し確定処理することで、カテゴリリスト（例えば、図２の「企画書作成」）と、それにリンクする業務作業テーブル（例えば、図２の業務作業テーブル全て）とが削除される（ステップＳ３２２，Ｓ３２５）。上記ステップＳ３２２でカテゴリリストを選択した後さらにスキップすると、業務作業テーブルの各リスト（例えば、図２のリスト２２１〜２２４）が表示され（ステップＳ３２３）、リストの選択が促される。この何れかを選択し確定処理することで（ステップＳ３２４）、業務作業テーブルのリストが削除される（ステップＳ３２５）。
【００２４】
「▲３▼：編集」が選択されると、業務作業カテゴリリストが編集可能状態で画面表示され、その編集を確定処理することで、カテゴリ名が変更される（例えば、図２の「企画書作成」を「企画書２００２」に変更）。さらにスキップすると、業務作業テーブルが編集可能状態で画面表示される（ステップＳ３３１）。業務作業テーブルの各項目の内、変更対象となる情報を編集する（例えば、図２のリスト２２４の開始フラグ「自動」を「手動」に変更）（ステップＳ３３２）。入力した情報を確定処理する（ステップＳ３３３）ことで、業務作業カテゴリリストおよび業務作業テーブルの入力情報が確定する（ステップＳ３３４）。上記ステップＳ３３３で確定処理をキャンセルすると、上記ステップＳ３３１に戻る。
【００２５】
「▲４▼：終了」が選択されると、本ファイル管理サービスの登録等の処理を終了する。
【００２６】
抽出処理部１５４は、本発明におけるファイルの一体的な管理を行うに当たって、その実行ボタンが押されると、業務作業カテゴリリスト中のカテゴリリスト名の少なくとも１つの選択を、例えばチェックボックスなどを表示して促す。カテゴリリストが選択されると、抽出処理部１５４は、そのカテゴリとリンクする業務作業テーブルのリストを抽出する。
【００２７】
送信命令処理部１５６は、抽出処理部１５４で抽出したリストのパス・アドレスに基づいて、その情報処理装置に対して、対応するファイルの各々を送信するように命令する。また、このとき、送信命令処理部１５６は、図２の業務作業テーブルでは図示しない「フラグ」項目に基づいて、これと対象となるファイルの各々に対して送信命令を行うことができる。
他方で、上述の登録処理部１５２により、業務作業テーブルのリストにファイルとして、ショートカットファイルを登録することもできる。送信命令処理部１５６は、このショートカットファイルに対して送信命令を行うこともできる。
【００２８】
ファイル開閉処理部１５８は、送信命令処理部１５６の送信命令により送信された所望のファイルの各々を、バッファ１４０に記憶した後に、このファイルに対応するアプリケーションを起動実行させファイルを開き、また、業務作業終了時にはこのファイルを一括して閉じる。
他方で、ファイルとしてのショートカットファイルに、関連する所定のファイル、またはそのファイル内の所定のデータ（レコード）のいずれかを抽出するための抽出条件を表すパラメータが登録されていた場合、ファイル開閉処理部１５８は、このパラメータに基づいて所定のファイルまたはデータを抽出し、それを開く。
このパラメータは、例えば、所定のキーワードを有するファイルを特定するための情報、メールアドレスデータの内のある個人を特定するための情報（名前、住所、個人番号など）、あるいは、表形式のリストデータの内のあるリストを特定するための情報（日時、リストＮｏ、名前など）などである。
【００２９】
（ファイル管理ＰＣの動作について）
次に、図４のフローチャートを用いて、本発明に係るファイル管理ＰＣ１００の動作について説明する。このとき、適宜図５〜７を参照して、画面表示を説明する。なお、ここでは便宜的に、図１のファイル管理ＰＣ１００の業務作業要求に伴い、サーバ２６、ＰＣ３８およびＤＢサーバ４０から所望のファイルを取得するとして、説明を進める。
【００３０】
本発明におけるファイル管理サービスを利用するにあたり、ファイル管理ＰＣ１００のユーザは、このサービスを利用するためのアクションとして、サービス開始ボタン（特に図示しない）を押す。これにより、図５のように、予め登録処理部１５２を用いて登録した業務作業カテゴリリスト一覧５１０が画面表示される（ステップＳ４０１）。この業務作業カテゴリリスト一覧５１０には、各業務作業カテゴリに対して、そのリンク設定した全てのファイルを開く「全て開く」ボタン、そのリンク設定したうちの「開始フラグ」項目で設定した所望のファイルのみ開く「自動のみ開く」ボタン、および、業務作業の終了時に開いたファイルを一括して閉じる「閉じる」ボタンが画面表示される。
【００３１】
ここで例えば、「企画書作成」の「全て開く」ボタンが選択された場合（ステップＳ４０２）、これに基づいて、抽出処理部１５４は、業務作業テーブルを読み込み、所望のファイルのリスト（例えば、図２のリスト２２１〜２２４）を抽出する（ステップＳ４１１）。
送信命令処理部１５６は、この抽出した各リストのパス・アドレスに基づいて、その所望のファイル（本文．ｄｏｃ、ｓａｌｅｓ．ｘｌｓ、ｈｔｔｐ：／／ｘｙｚ．ｃｏ．ｊｐ、およびショートカットプログラム）が記憶された各装置に対して、送信要求を行う（ステップＳ４１２）。
この送信要求を受信した装置である、サーバ２６、ＰＣ３８およびＤＢサーバ４０は、その所望のファイルを、ＨＴＴＰ（Hypertext Transfer Protocol）やＦＴＰ（File Transfer Protocol）などにより、ファイル管理ＰＣ１００に送信する。
この送信されたファイルは、通信インターフェイス１１０を介して、バッファ１４０に記憶される（ステップＳ４１３）。これにより、ファイル管理ＰＣ１００では、一括して、業務作業を行うに際して作成および参照すべき所望のファイルを取得することができる。
【００３２】
さらに、上記ステップＳ４０２で「全て開く」を選択したので、ファイル開閉処理部１５８は、このバッファ１４０に記憶された所望のファイルを、それぞれ対応するアプリケーションを起動実行することで開く（ステップＳ４１４）。図５は、所望のファイル全て（本文．ｄｏｃ、ｓａｌｅｓ．ｘｌｓ、ｈｔｔｐ：／／ｘｙｚ．ｃｏ．ｊｐ、およびショートカットプログラム）が開かれ、表示された画面５００を示している。これにより、ユーザは即座に業務作業を行うことができ、従来の煩雑な操作を省くことができる。
【００３３】
他に、上記ステップ４０２において、「自動のみ開く」または「閉じる」が選択されたときの動作についても説明する。
「自動のみ開く」ボタンが選択されると（ステップＳ４０２）、これに基づいて、上記ステップＳ４１１〜Ｓ４１３と同様な処理が行われる。さらに、ここでは上記ステップＳ４０２で「自動のみ開く」を選択したので、ファイル開閉処理部１５８は、このバッファ１４０に記憶された所望のファイルの内、業務作業テーブルの「開始フラグ」項目の「自動」フラグが設定されたファイルを、それぞれ対応するアプリケーションで起動実行し、開く（ステップＳ４２４）。図６は、「開始フラグ」項目の「自動」フラグが設定された、本文．ｄｏｃ、および販売実績．ｘｌｓファイルが開かれ、表示された画面６００を示している。これにより、上述と同様な効果が得られると共に、画面上におけるファイルの散開を防ぐことができる。
【００３４】
また、「閉じる」ボタンが選択されると（ステップＳ４０２）、これに基づいて、ファイル開閉処理部１５８は、抽出された（ステップＳ４３１）リストに示された所望のファイルが開いているのか否かを判定し（ステップＳ４３２）、開いていればこれを閉じる（ステップＳ４３３）。図７は、全ての所望のファイルが閉じられた画面である。これにより、業務作業の開始時だけでなく終了時においても一括したファイル管理を行うことができる。
【００３５】
なお、上記ステップＳ４３３の処理の後、バッファ１４０の、業務作業により作成されたファイルを新たに、あるいは上書き保存しておくのがよい。資料として参照したその他のファイルは一時テンポラリファイルとしてそのまま保存されるが、特に必要がなければ廃棄処理することが望ましい。
【００３６】
また、上記ステップ４１１，Ｓ４２１，Ｓ４３１の抽出処理を行うにあたって、例えば図２の業務作業テーブル２２０に、各リストに対応して、送信命令処理部１５６による送信命令を行うか否かのフラグを設けてもよい。このようにすれば、必要なファイルのみを取得することができると共に、既に参照不要となったリストの削除はしないことから、業務作業のファイルの作成時のみならず、後日その関連のファイルを確認するのにも役立つようになる。
【００３７】
また、図２の業務作業テーブルにおいて、登録処理部１５２により、予め、パス・アドレスのファイルに対応して、その業務作業のファイル内の所定のデータを抽出しこれを開くための抽出条件を表すパラメータ（図２のデータの日時条件を示す「＄ＤＡＴＥ」に該当）を指定してもよい。ここでは、販売実績検索ツールプログラムのショートカットが実行されることで、その日時（つまりパラメータ）までの販売実績データを自動的に表示させることができる。
【００３８】
このように、本発明に係るファイル管理装置を用いることで、ネットワーク上に散在した各業務作業に必要な個々のファイルを一体的に管理し、業務作業の効率化を支援することができる。
【００３９】
なお、本発明は、上述の図１〜図７を用いて説明した例に限定されるものではなく、その要旨を逸脱しない範囲において種々の変更が可能である。例えば、上級津の実施形態では図１で示したようなネットワークシステムを想定して説明を進めたが、ＬＡＮあるいはＷＡＮなどの通信網内においても適用でき、上述と同様の効果を奏することができる。
【００４０】
上述の実施形態において、そのファイル管理装置を構成する各処理部の機能、および上述の変形例における機能を、コンピュータの実行可能なプログラムとして記述し、これをアプリケーションソフトとしてハードディスク等の記録媒体に格納しておいてもよい。このようにすれば、ＣＤ−ＲＯＭ等の可搬型記録媒体にプログラム等を格納して売買したり、携帯することができるようになる。
【００４１】
【発明の効果】
本発明に係るファイル管理装置を用いることで、ネットワーク上に散在した各業務作業に必要な個々のファイルを一体的に管理し、業務作業の効率化を支援することができる。
【図面の簡単な説明】
【図１】本発明に係るファイル管理装置と、それが用いられるネットワークシステムの一構成例を説明するためのブロック図である。
【図２】図１の業務作業テーブル記憶部に記憶された、業務作業カテゴリリストおよび業務作業テーブルの一例を説明するための図である。
【図３】図２の業務作業カテゴリリストおよび業務作業テーブルの設定動作を説明するためのフローチャートである。
【図４】図１のファイル管理装置の動作を説明するためのフローチャートである。
【図５】図４の説明を補足する図である（その１）。
【図６】図４の説明を補足する図である（その２）。
【図７】図４の説明を補足する図である（その３）。
【符号の説明】
１：ネットワークシステム
１０：インターネット網
２０，３０：ＬＡＮ
４０：ＤＢサーバ
１００：ファイル管理ＰＣ
１０２：バス
１１０：通信インターフェイス
１２０：ＣＰＵ
１３０：業務作業テーブル記憶部
１４０：バッファ
１５０：業務作業ファイル処理部
１５２：登録処理部
１５４：抽出処理部
１５６：送信命令処理部
１５８：ファイル開閉処理部
【図１】
0004135131.tif 000002
【図２】
0004135131.tif 000003
【図３】
0004135131.tif 000004
【図４】
0004135131.tif 000005
【図５】
0004135131.tif 000006
【図６】
0004135131.tif 000007
【図７】
0004135131.tif 000008